(57)【要約】【課題】防水性を有すると共に、操作部材のがたつきが軽減された操作釦を提供する。【解決手段】開口部に配置される操作部及び操作部から延設されるフランジ部を有する操作部材と、操作部材を弾性的に支持すると共に、電子機器の内部に水分が進入するのを防止するための弾性部材と、操作部材の押圧により切り換えられるスイッチ部材とを備える操作釦が提供される。弾性部材は、フランジ部に当接して押圧方向の逆方向へ付勢する複数の弾性突起部を有する。【選択図】図６
2017054578.tif 000002
【特許請求の範囲】
【請求項１】
電子機器筐体の開口部に設けられる操作釦であって、
前記開口部に配置される操作部、及び前記操作部から延設されるフランジ部を有する操作部材と、
前記操作部材を弾性的に支持すると共に、電子機器の内部に水分が進入するのを防止するための弾性部材と、
前記操作部材の押圧により切り換えられるスイッチ部材とを備え、
前記弾性部材は、前記フランジ部に当接して押圧方向の逆方向へ付勢する複数の弾性突起部を有する、
操作釦。
【請求項２】
前記開口部及び前記操作部材は、前記開口部及び前記操作部材の一方に設けられた凸部と、前記開口部及び前記操作部材の他方に設けられ、前記凸部に係合する凹部とで構成される複数の係合部を有する、
請求項１に記載の操作釦。
【請求項３】
前記係合部の凸部及び凹部は、前記開口部及び前記操作部材の中心位置を合わせるために、押圧方向に対して傾斜した面を有する、
請求項２に記載の操作釦。
【請求項４】
前記弾性突起部は、前記係合部に略対応する位置に配置されている、
請求項３に記載の操作釦。
【発明の詳細な説明】
【技術分野】
【０００１】
本開示は、デジタルカメラ等の電子機器が備える操作釦に関する。
【背景技術】
【０００２】
特許文献１は、防塵防滴機構を有する押釦装置を開示する。特許文献１に開示された押釦装置においては、押釦カバーの軸部が、押釦ゴムの貫通穴に挿設されている。
【先行技術文献】
【特許文献】
【０００３】
【特許文献１】特開２０１２−２１６３５３号公報
【発明の概要】
【発明が解決しようとする課題】
【０００４】
本開示は、防水性を有すると共に、操作部材のがたつきが軽減された電子機器用の操作釦を提供する。
【課題を解決するための手段】
【０００５】
本開示における操作釦は、電子機器筐体の開口部に設けられる操作釦であって、開口部に配置される操作部及び操作部から延設されるフランジ部を有する操作部材と、操作部材を弾性的に支持すると共に、電子機器の内部に水分が進入するのを防止するための弾性部材と、操作部材の押圧により切り換えられるスイッチ部材とを備える。弾性部材は、フランジ部に当接して押圧方向の逆方向へ付勢する複数の弾性突起部を有する。
【発明の効果】
【０００６】
本開示における操作釦は、防水性を有すると共に、操作部材のがたつきが軽減される。
【図面の簡単な説明】
【０００７】
【図１】実施の形態のデジタルカメラを示す斜視図
【図２】実施の形態の操作釦が配置された部分を分解した状態を示す斜視図である。
【図３】実施の形態におけるトップケースのボタン用開口の近傍の内側構造を示した図
【図４】実施の形態におけるキートップの構造を示した図
【図５】実施の形態におけるゴムパッキンの構造を示した図
【図６】実施の形態における録画ボタンの構造を示した断面図
【図７】実施の形態における録画ボタンを押下した状態を示した断面図
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【０００９】
なお、添付図面および以下の説明は、当業者が本開示を十分に理解するために、提供されるのであって、これらにより特許請求の範囲に記載の主題を限定することは意図されていない。
【００１０】
以下、図１〜７を用いて、実施の形態を説明する。
【００１１】
図１は、実施の形態のデジタルカメラ１００を示す斜視図である。図１に示すように、デジタルカメラ１００は、カメラ本体１１０と、カメラ本体１１０に設けられた機能ボタン１２０及び録画ボタン１３０とを備える。カメラ本体１１０は、切り替えダイヤル、シャッタースイッチ、ファインダー、液晶モニターなどを備える。機能ボタン１２０は、天面及び背面に設けられたスイッチで、動画記録スタート、再生、液晶モニターの表示切替、ファインダーの入り切りなどの操作を行うことが可能である。機能ボタン１２０及び録画ボタン１３０が、本開示における操作釦に該当する。
【００１２】
図２は、実施の形態の操作釦が配置された部分を分解した状態を示す斜視図である。図２に示すように、天面側の筐体であるトップケース１１１には、機能ボタン用開口１２１と、録画ボタン用開口１３１が設けられている。機能ボタン用開口１２１には、機能ボタン用キートップ２２０が、録画ボタン用開口１３１には、録画ボタン用キートップ２３０が配置される。機能ボタン用キートップ２２０及び録画ボタン用キートップ２３０の下方には、ゴムパッキン３１０が配置される。ゴムパッキン３１０の下方には、スイッチ４２０が実装された基板４１０が配置される。基板４１０の下方には、基板固定部材４３０が配置され、ビス４４０によってトップケース１１１に固定される。
【００１３】
図３は、実施の形態におけるトップケースのボタン用開口の近傍の内側構造を示した図である。図３に示すように、トップケース１１１に設けられた機能ボタン用開口１２１の周囲には、位置決め溝１２２、及び回り止め溝１２３が設けられている。録画ボタン用開口１３１の周囲にも、位置決め溝１３２、及び回り止め溝１３３が設けられている。
【００１４】
図４は、実施の形態におけるキートップの構造を示した図である。録画ボタン用キートップ２３０について、図４(ａ)では上方から見た構造を、図４(ｂ)では下方から見た構造を示している。機能ボタン用キートップ２２０について、図４(ｃ)では上方から見た構造を、図４(ｄ)では下方から見た構造を示している。録画ボタン用キートップ２３０は、位置決めリブ２３２、回り止め溝ツバ２３３、スイッチ押下ピン２３４、ゴムパッキン用キーリブ２３５を備える。機能ボタン用キートップ２２０は、位置決めリブ２２２、回り止め溝ツバ２２３、スイッチ押下ピン２２４、ゴムパッキン用キーリブ２２５を備える。録画ボタン用キートップ２３０の位置決めリブ２３２は、録画ボタン用開口１３１の位置決め溝１３２に係合し、録画ボタン用キートップ２３０の回り止め溝ツバ２３３は、録画ボタン用開口１３１の回り止め溝１３３に係合するように構成されている。機能ボタン用キートップ２２０の位置決めリブ２２２は、機能ボタン用開口１２１の位置決め溝１２２に係合し、機能ボタン用キートップ２２０の回り止め溝ツバ２２３は、機能ボタン用開口１２１の回り止め溝１２３に係合するように構成されている。録画ボタン用キートップ２３０の回り止め溝ツバ２３３と、機能ボタン用キートップ２２０の回り止め溝ツバ２２３とでは、ツバの数及び幅を変えることによって、間違った位置に配置されることが形状的に防止されている。
【００１５】
録画ボタン用キートップ２３０の位置決めリブ２３２、及び機能ボタン用キートップ２２０の位置決めリブ２２２は、ボタン不使用時の中心合わせを目的として設けられている。図４(ａ)に示すように、録画ボタン用キートップ２３０の位置決めリブ２３２は、ボタンの周囲に４ヶ所、Ｘ方向及びＹ方向が中心になるように配置されている。機能ボタン用キートップ２２０の位置決めリブ２２２も、同様に４ヶ所設けられている。
【００１６】
図５は、実施の形態におけるゴムパッキン３１０の構造を示した図である。ゴムパッキン３１０について、図５(ａ)では下方から見た構造を、図５(ｂ)では上方から見た構造を示している。図５に示すように、ゴムパッキン３１０は、止水壁３１１、ピン穴３１２、キー溝３１３、ボタン復帰突起３１４、ボタン復帰支え３１５、薄肉部３１６を備える。ゴムパッキン３１０は、トップケース１１１の開口に配置された機能ボタン用キートップ２２０及び録画ボタン用キートップ２３０の下方に配置される。ピン穴３１２には、録画ボタン用キートップ２３０のスイッチ押下ピン２３４及び機能ボタン用キートップ２２０のスイッチ押下ピン２２４が挿通される。キー溝３１３は、録画ボタン用キートップ２３０のゴムパッキン用キーリブ２３５、機能ボタン用キートップ２２０のゴムパッキン用キーリブ２２５に係合される。これにより、ゴムパッキンの中心位置の規制と回り止めがなされる。ピン穴３１２の周囲には、ボタン復帰突起３１４が４ヶ所設けられている。この機能については図６〜７で説明する。
【００１７】
図６は、実施の形態における録画ボタンの構造を示した断面図である。ゴムパッキン３１０の周囲には、止水壁３１１が設けられており、圧縮されて組込まれることによって本体内に水が浸入することを防止する。録画ボタン用キートップ２３０のボタン周囲に設けられた位置決めリブ２３２は、図４(ａ)に示したように４ヶ所に設けられ、それぞれ三角状に傾斜を持った形状で構成される。トップケース１１１の録画ボタン用開口１３１の周囲には、位置決めリブ２３２に係合する形状の位置決め溝１３２が設けられている。これにより、ボタンから指を離すと、位置決めリブ２３２斜面に沿ってＸ方向、Ｙ方向が規制され中心位置に録画ボタン用キートップ２３０が復帰する効果を奏する。位置決めリブ２３２の直下には、ボタン復帰突起３１４が設けられており、復帰させる荷重をダイレクトに位置決めリブ２３２の斜面に加えることができる。また、ボタンの周囲に荷重点があるため、ボタン押下時のふらつきを軽減する効果を奏する。録画ボタン１３０を例にして説明したが、機能ボタン１２０のほか他ボタンについても同様の構成を採用することができる。
【００１８】
図７は、実施の形態における録画ボタンを押下した状態を示した断面図である。図７で示したように、録画ボタン用キートップ２３０を指で押下すると、ゴムパッキンが３１０の薄肉部３１６及びボタン復帰突起３１４が変形し、ボタン裏面に設けられたスイッチ押下ピン２３４によって、スイッチ４２０が押される。指を離すと、スイッチ４２０自身の反発とゴムパッキン３１０の反発によって、録画ボタン用キートップ２３０が元の位置に復帰する。
【００１９】
本開示における操作釦は、以上のようにボタン周囲の直下から複数の弾性部材の突起によって荷重が加えられているので、操作部材のがたつきが軽減される。また、凸部と凹部とが互いに傾斜して係合する係合部を、上下左右対称となるようボタン周囲に４ヶ所設け、係合部の直下から弾性部材の突起によって荷重が加えられているので、指を離すとボタンの中心に向かって復帰し、開口の中心にキートップを配置させることができる。
【００２０】
以上の実施形態においては、デジタルカメラを例にして説明した。しかしながら、本実施形態の電子機器としては、特に限定されるものではなく、携帯電話、ラップトップコンピュータなど、操作ボタンを備えた各種電子機器に適用することができる。
【００２１】
なお、上述の実施の形態は、本開示における技術を例示するためのものであるから、特許請求の範囲またはその均等の範囲において種々の変更、置き換え、付加、省略などを行うことができる。
【産業上の利用可能性】
【００２２】
本開示は、電子機器における各種操作釦に適用することができる。
【符号の説明】
【００２３】
１００  デジタルカメラ
１１０  カメラ本体
１１１  トップケース
１２０  機能ボタン
１２１  機能ボタン用開口
１２２  位置決め溝
１２３  回り止め溝
１３０  録画ボタン
１３１  録画ボタン用開口
１３２  位置決め溝
１３３  回り止め溝
２２０  機能ボタン用キートップ
２２２  位置決めリブ
２２３  回り止め溝ツバ
２２４  スイッチ押下ピン
２２５  ゴムパッキン用キーリブ
２３０  録画ボタン用キートップ
２３２  位置決めリブ
２３３  回り止め溝ツバ
２３４  スイッチ押下ピン
２３５  ゴムパッキン用キーリブ
３１０  ゴムパッキン
３１１  止水壁
３１２  ピン穴
３１３  キー溝
３１４  ボタン復帰突起
３１５  ボタン復帰支え
３１６  薄肉部
４１０  基板
４２０  スイッチ
４３０  基板固定部材
４４０  ビス
【図１】
2017054578.tif 000003
【図２】
2017054578.tif 000004
【図３】
2017054578.tif 000005
【図４】
2017054578.tif 000006
【図５】
2017054578.tif 000007
【図６】
2017054578.tif 000008
【図７】
2017054578.tif 000009